(57)【特許請求の範囲】
【請求項１】
外部の表示装置への接触状態を表わす接触状態情報を取得する接触状態情報取得手段と、
前記接触状態情報に応じて、貼付画像を前記表示装置に対して送信するように制御する貼付画像送信制御手段と
を具備し、
前記接触状態情報取得手段は、外部の表示装置の画像表示部での接触位置を検知し、
前記貼付画像送信制御手段は、前記接触位置を含む接触状態情報を前記表示装置に対して送信するように制御する
ことを特徴とする端末装置。
【請求項２】
前記貼付画像送信制御手段は、前記接触状態情報取得手段から接触通知を受けたときに予め選択された貼付画像を貼付するための画像貼付要求を前記表示装置に対して送信し、前記表示装置から貼付許可を表わす画像貼付応答を受信すると、前記貼付画像を前記表示装置に対して送信するように制御する
ことを特徴とする請求項１に記載の端末装置。
【請求項３】
外部の表示装置への接触状態を表わす接触状態情報を取得する接触状態情報取得手段と、
前記接触状態情報に応じて、貼付画像を前記表示装置に対して送信するように制御する貼付画像送信制御手段と
を具備する前記端末装置と、
画像を表示する画像表示部と、
前記画像表示部への接触体の接触状態を表わす接触状態情報を取得する接触状態情報取得手段と、
前記接触状態情報に応じて、貼付画像を受信する画像受信手段と、
前記接触状態情報に応じて、受信した前記貼付画像を前記画像表示部に表示する際のレイアウトを制御する表示制御手段と
を具備する前記表示装置と、
から成り、
前記接触状態情報取得手段は、外部の表示装置の画像表示部での接触位置を検知し、
前記貼付画像送信制御手段は、前記接触位置を含む接触状態情報を前記表示装置に対して送信するように制御する
ことを特徴とする画像貼付システム。
【請求項４】
前記表示制御手段は、前記接触状態情報に応じて時間経過とともに前記貼付画像の表示サイズを縮小させることを特徴とする請求項３に記載の画像貼付システム。
【請求項５】
前記表示制御手段は、前記接触状態情報に応じて時間経過とともに前記貼付画像の表示位置を変化させることを特徴とする請求項３又は４に記載の画像貼付システム。
【請求項６】
端末装置における画像送信制御方法であって、
外部の表示装置の画像表示部での接触位置を検知して前記外部の表示装置への接触状態を表わす接触状態情報を取得し、前記接触位置を含む接触状態情報を前記表示装置に対して送信し、前記接触状態情報に応じて貼付画像を前記表示装置に対して送信するように制御することを特徴とする画像送信制御方法。
【請求項７】
端末装置を制御するコンピュータプログラムであって、
外部の表示装置への接触状態を表わす接触状態情報を取得する接触状態情報取得過程と、
前記接触状態情報に応じて貼付画像を前記表示装置に対して送信するように制御する貼付画像送信制御過程と
をコンピュータに実行させ、
前記接触状態情報取得過程で、外部の表示装置の画像表示部での接触位置を検知し、
前記貼付画像送信制御過程で、前記接触位置を含む接触状態情報を前記表示装置に対して送信するように制御するコンピュータプログラム。
【請求項８】
画像を表示する画像表示部と、
予め定められた位置に設けられ、前記画像表示部での外部の端末装置との接触位置を、前記端末装置に検知させるための信号を発する基準信号発信部と、
前記画像表示部への接触体の接触状態を表わす接触状態情報であって前記信号に基づいて検知された接触位置を含む接触状態情報を取得する接触状態情報取得手段と、
前記接触状態情報に応じて、貼付画像を受信する画像受信手段と、
前記接触状態情報に応じて、受信した前記貼付画像を前記画像表示部に表示する際のレイアウトを制御する表示制御手段と
を具備することを特徴とする表示装置。
【発明の詳細な説明】
【技術分野】
【０００１】
本発明は、端末装置側の画像を表示装置に貼付するためのけるための表示装置、端末装置、画像貼付システムおよびそれらの方法並びにコンピュータプログラムに関する。
【背景技術】
【０００２】
テレビやＰＣ（パーソナルコンピュータ）等に搭載される表示デバイス、例えばＬＣＤ（Ｌｉｑｕｉｄ  Ｃｒｙｓｔａｌ  Ｄｉｓｐｌａｙ、液晶ディスプレイ）やＰＤＰ（Ｐｌａｓｍａ  Ｄｉｓｐｌａｙ  Ｐａｎｅｌ、プラズマディスプレイパネル）などに代表されるフラットパネルディスプレイの、大画面化・高精細化が進んでおり、従来のようにデジタル画像を1枚ずつ表示するだけでなく、同時に何枚も表示して、複数の人たちで一緒に観賞できるレベルの性能を備えるようになってきている。
【０００３】
このような状況において、他の装置、例えばデジタルカメラやカメラ機能付き携帯電話端末に保存されている画像を、テレビ等の大画面表示装置へ表示させる手段が望まれている。特に、あたかも写真をコルクボードに貼り付けるような手軽さ、自由度の高さで、ユーザの意図通りのレイアウト（位置、大きさ、傾き）に表示させる手段が望まれている。
【０００４】
従来、デジタルカメラや携帯電話端末に保存されている画像をテレビに表示させる手段としては、画像の保存されたメモリカードをテレビに挿入した上で画像データを１枚ずつ拡大表示するか、所定のレイアウトで一覧表示することが実用化されている。しかしながら、表示画像を自由にレイアウトする（位置・大きさ・傾きを設定・変更する）ためには、先ず画像データをＰＣにコピーした上で、ＰＣ上のデジタルカメラ画像管理ソフトを起動し、編集操作を行わなければならず、面倒で手間がかかる。
【０００５】
この改善策として、特許文献１には次の方法が記載されている。即ち、レイアウト表示したい表示装置に対して画像の格納されているデジタルカメラの位置を移動したりデジカメの操作ボタンを操作したりすることで、任意の表示レイアウトを指定する方法である。この方法では、具体的には、ユーザは次のような操作手順を踏む。１）端末上で表示画像選択，２）端末をディスプレイに対向させて、シャッター半押し，３）端末の位置を動かして、ディスプレイ上の画像表示位置を調整，４）端末のズームボタンを操作して、ディスプレイ上の画像表示サイズを調整，５）シャッター全押し。この手順により表示が確定される。
【特許文献１】特開２００５−３１６４０３号公報
【発明の開示】
【発明が解決しようとする課題】
【０００６】
上記の特許文献１に記載されている従来技術は、レイアウト操作のみに注目して操作性の向上を図っている。しかしながら、ユーザには、携帯端末装置からテレビへの画像転送、テレビへの画像表示、テレビ表示画面上でのレイアウト指定といった個々の作業を一連の操作手順として行うことが求められ、不便であった。
【０００７】
本発明は、上記事情に鑑みてなされたものであり、その目的は、デジタルカメラあるいは携帯電話等の携帯端末装置に格納されている画像を、テレビやＰＣなどの大画面表示装置に対して自由なレイアウトで表示させる際に、必要となる一連のユーザ操作の操作性を向上させ、ユーザが簡単に行なえるようにすることである。
【課題を解決するための手段】
【０００８】
上記課題を解決するため、本発明の一態様は、外部の表示装置への接触状態を表わす接触状態情報を取得する接触状態情報取得手段と、前記接触状態情報に応じて、貼付画像を前記表示装置に対して送信するように制御する貼付画像送信制御手段とを具備し、前記接触状態情報取得手段は、外部の表示装置の画像表示部での接触位置を検知し、前記貼付画像送信制御手段は、前記接触位置を含む接触状態情報を前記表示装置に対して送信するように制御することを特徴とする端末装置である。
【０００９】
また、本発明の一態様は、上記の端末装置において、前記貼付画像送信制御手段は、前記接触状態情報取得手段から接触通知を受けたときに予め選択された貼付画像を貼付するための画像貼付要求を前記表示装置に対して送信し、前記表示装置から貼付許可を表わす画像貼付応答を受信すると、前記貼付画像を前記表示装置に対して送信するように制御することを特徴とするものである。
【００１１】
また、本発明の一態様は、外部の表示装置への接触状態を表わす接触状態情報を取得する接触状態情報取得手段と、前記接触状態情報に応じて、貼付画像を前記表示装置に対して送信するように制御する貼付画像送信制御手段とを具備する前記端末装置と、画像を表示する画像表示部と、前記画像表示部への接触体の接触状態を表わす接触状態情報を取得する接触状態情報取得手段と、前記接触状態情報に応じて、貼付画像を受信する画像受信手段と、前記接触状態情報に応じて、受信した前記貼付画像を前記画像表示部に表示する際のレイアウトを制御する表示制御手段とを具備する前記表示装置と、から成り、前記接触状態情報取得手段は、外部の表示装置の画像表示部での接触位置を検知し、前記貼付画像送信制御手段は、前記接触位置を含む接触状態情報を前記表示装置に対して送信するように制御することを特徴とする画像貼付システムである。
【００１２】
また、本発明の一態様は、上記の画像貼付システムにおいて、前記表示制御手段は、前記接触状態情報に応じて時間経過とともに前記貼付画像の表示サイズを縮小させることを特徴とするものである。
【００１３】
また、本発明の一態様は、上記の画像貼付システムにおいて、前記表示制御手段は、前記接触状態情報に応じて時間経過とともに前記貼付画像の表示位置を変化させることを特徴とするものである。
【００１４】
また、本発明の一態様は、端末装置における画像送信制御方法であって、外部の表示装置の画像表示部での接触位置を検知して前記外部の表示装置への接触状態を表わす接触状態情報を取得し、前記接触位置を含む接触状態情報を前記表示装置に対して送信し、前記接触状態情報に応じて貼付画像を前記表示装置に対して送信するように制御することを特徴とする画像送信制御方法である。
【００１５】
また、本発明の一態様は、端末装置を制御するコンピュータプログラムであって、外部の表示装置への接触状態を表わす接触状態情報を取得する接触状態情報取得過程と、前記接触状態情報に応じて貼付画像を前記表示装置に対して送信するように制御する貼付画像送信制御過程とをコンピュータに実行させ、前記接触状態情報取得過程で、外部の表示装置の画像表示部での接触位置を検知し、前記貼付画像送信制御過程で、前記接触位置を含む接触状態情報を前記表示装置に対して送信するように制御するコンピュータプログラムである。
【００１６】
また、本発明の一態様は、画像を表示する画像表示部と、予め定められた位置に設けられ、前記画像表示部での外部の端末装置との接触位置を、前記端末装置に検知させるための信号を発する基準信号発信部と、前記画像表示部への接触体の接触状態を表わす接触状態情報であって前記信号に基づいて検知された接触位置を含む接触状態情報を取得する接触状態情報取得手段と、前記接触状態情報に応じて、貼付画像を受信する画像受信手段と、前記接触状態情報に応じて、受信した前記貼付画像を前記画像表示部に表示する際のレイアウトを制御する表示制御手段とを具備することを特徴とする表示装置である。
【００２０】
上記のように、本発明によると、携帯端末装置から表示装置への画像情報（貼付画像）の転送、表示装置における画像表示レイアウトの変更、画像表示レイアウトの確定という一連の画像貼付動作を、表示装置に対する携帯端末装置の接触状態情報によって制御する。
【発明の効果】
【００２１】
本発明の画像貼付システム、表示装置、および携帯端末装置によると、ユーザが携帯端末に格納されている画像を表示装置に転送し、転送した画像を表示装置で表示する際の表示レイアウトを変更し、更に変更作業が完了したら画像の表示レイアウトを確定させるという、画像貼付のための一連のユーザ操作を、複雑なボタン操作や複雑な各種ユーザインタフェースを用いることなく、単純なワン・アクションで簡便かつ直感的に行うことができるようになる。これにより、ユーザインタフェースを簡素化でき、万人に使いやすい装置およびシステムを提供することができるようになる。
【発明を実施するための最良の形態】
【００２２】
［第１の実施形態］
以下、図面を参照し、本発明の実施形態について説明する。
図１は、本発明の実施形態による画像貼付システム全体の外観を示す概略図である。図１に示すように、この画像貼付システムは、表示装置１００と携帯端末装置２００とで構成されている。
【００２３】
表示装置１００は、例えば、デジタルチューナ内蔵テレビやＰＣ用ディスプレイなどである。携帯端末装置２００は、例えば、デジタルカメラやデジタルカメラ機能付き携帯電話端末である。表示装置１００は、各種画像を表示する画像表示部１０１と、この画像表示部１０１に外部物体が接触した際に、その接触があったこと及びその接触位置を検知する接触位置検出部１０３（接触状態情報取得手段）を備えている。また、携帯端末装置２００は、文字や画像を表示するための携帯端末表示部２０１と、外部物体と接触した際にその接触があったことを検知する接触検知部２０３（接触状態情報取得手段）と、ユーザからの入力を受け付ける入力部２０８とを備えている。
【００２４】
携帯端末表示部２０１には、例えば、ＬＣＤなどを用いる。接触検知部２０３は、例えば、機械スイッチを用いて実現する。また、携帯端末装置２００に加速度センサを内蔵し、この加速度センサによって測定される加速度の時系列的な変化を解析することによって接触検知部２０３を実現しても良い。入力部２０８は、例えば、キースイッチをマトリクス状に配列したテンキー（「０」〜「９」、および「＊」と「＃」）などである。
【００２５】
このシステムにおいて、ユーザが携帯端末装置２００を手で持ち、接触検知部２０３の先端を画像表示部１０１のある箇所に接触させると、携帯端末２００側では接触検知部２０３がその接触があったことを検知し、表示装置１００側では接触位置検出部１０３がその接触があったこと及びその接触位置を検出する。
【００２６】
次に、表示装置１００の内部の機能構成について説明する。
図２は、表示装置１００の内部機能構成を示すブロック図である。以下、図２について説明する。
【００２７】
画像表示部１０１は、表示画面情報を表示する機能を有する。表示画面情報（画像データ）は画像表示部１０１に表示される内容であり、表示制御部１０５から渡される。画像表示部１０１を構成するデバイスは、例えばＬＣＤ、有機ＥＬ（Ｅｌｅｃｔｒｏ−Ｌｕｍｉｎｅｓｃｅｎｃｅ、エレクトロルミネセンス）、プラズマディスプレイ、ＣＲＴ（Ｃａｔｈｏｄｅ  Ｒａｙ  Ｔｕｂｅ、陰極線管）、プロジェクターなどのディスプレイ機器である。
【００２８】
表示装置蓄積部１０２は、画像データを蓄積する機能を有し表示制御部１０５からの書き込み／読み出し動作によってこの画像データを受け渡しする。表示装置蓄積部１０２を構成するデバイスは、例えばフラッシュメモリ、ＲＡＭ（Ｒａｎｄｏｍ  Ａｃｃｅｓｓ  Ｍｅｍｏｒｙ、ランダムアクセスメモリ）、ＨＤＤ（Ｈａｒｄ  Ｄｉｓｋ  Ｄｒｉｖｅ、ハードディスク装置）などである。
【００２９】
接触位置検出部１０３は、画像表示部１０１に対して携帯端末装置２００などの外部物体（接触体）が現在接触しているかどうか、接触している場合は更に接触位置も検知する。接触位置検出部１０３はこれら接触体の位置情報を、表示随時変更部１０６（詳しくは表示随時変更部１０６を構成している要素のひとつである表示変更統括部１０６１（図３））に対して通知する。接触位置検出部１０３を構成するデバイスは、例えば、光学式タッチパネルや、抵抗膜方式タッチパネルなどである。
光学式タッチパネルは、表示装置の表示画面周縁部に複数のカメラを設け、それらのカメラが表示画面上を画面にほぼ平行する方向に連続する時間にわたって撮像し、或いは断続的に撮像し、それらの画像を読み取って解析することにより、表示画面への接触体が接触したときにその接触位置を検出する。例えば２台の小型カメラを充分に離して設置することにより、各々のカメラが接触体を像として捉えると、表示画面上の２次元的な位置を検出することができる。カメラとしては赤外線カメラを使い、必要に応じて接触体を照射するための赤外線照明を設ける。なお、カメラは２台以上であっても良い。
抵抗膜方式タッチパネルは、電気抵抗を有する膜状電極を２枚設けたものを表示画面上に貼り付けて構成される。これら２枚の電極は通常時（接触体が無いとき）にはスペーサーによって互いに非接触となっている。接触体が表示部に接触したときには、その圧力によって、２枚の電極のうちの一方（可動電極）が押されてその部分（この点を接触点と呼ぶ）だけが他方の電極（固定電極）に接触する。このとき、Ｘ軸方向およびＹ軸方向の各々について、画面の端の電極から接触点までの電位差を測定することにより画面の端から接触点までの距離を算出することができる。そして切替スイッチ等によって、Ｘ軸方向の距離測定を行なうタイミングとＹ軸方向の距離測定を行なうタイミングを切り替えることにより、接触点のＸ座標およびＹ座標をそれぞれ算出する。
【００３０】
表示装置無線通信部１０４（画像受信手段）は、携帯端末装置２００との間でデータ通信を行うと共に、表示装置１００内部の表示随時変更部１０６や表示制御部１０５との間で上記通信データの受け渡しを行う機能を有する。表示装置無線通信部１０４は、表示随時変更部１０６との間では、画像貼付要求信号及び画像貼付応答信号を受け渡しする。また表示装置無線通信部１０４は、表示制御部１０５との間では、貼付画像転送信号を受け渡しする。表示装置無線通信部１０４の無線通信方式は、例えば、Ｂｌｕｅｔｏｏｔｈ（登録商標）、無線ＬＡＮ（Ｌｏｃａｌ  Ａｒｅａ  Ｎｅｔｗｏｒｋ、ローカルエリアネットワーク）などである。
【００３１】
表示随時変更部１０６は、表示装置無線通信部１０４を介して携帯端末装置２００と通信し、携帯端末装置２００からの画像貼付要求信号受信をきっかけとして、一連の画像貼付け動作を開始すると共に、接触位置検出部１０３や表示制御部１０５と連動することによって画像表示部１０１への表示内容を制御する機能を有する（表示随時変更部１０６と表示制御部１０５とが、表示制御手段を構成する）。この表示随時変更部１０６の詳細については、後述する。
【００３２】
表示制御部１０５は、貼付の対象となる画像データを、表示装置無線通信部１０４を介して携帯端末装置２００から受信する機能を有する。また、この受信した画像データのフォーマットを解析し、解析結果として解像度情報を作成して、表示随時変更部１０６に通知する機能を有する。更に、表示随時変更部１０６から、画像データを画像表示部１０１に表示する位置とサイズを規定する表示領域情報を受け取って、表示領域情報と画像データとから、表示画面情報を作成し、画像表示部１０１に表示させる機能を有する。
【００３３】
次に、表示随時変更部１０６の詳細な構成について説明する。図３は、表示随時変更部１０６の内部構成を示すブロック図である。以下、図３に沿って説明する
【００３４】
表示随時変更部１０６は、その内部に、表示変更統括部１０６１と貼付開始部１０６２と表示領域変更部１０６３とを有する。これら各部間の相互作用は次の通りである。
表示変更統括部１０６１は、貼付開始部１０６２に対して画像貼付け要求を送る。また、貼付開始部１０６２から送られる接触状態問い合わせに応じて、表示変更統括部１０６１は接触状態情報を貼付開始部１０６２に返す。また、貼付開始部１０６２から送られる画像貼付応答を表示変更統括部が受ける。
また、表示変更統括部１０６１は、表示領域変更部１０６３に対して接触状態情報および解像度情報を送る。表示領域変更部１０６３からは、表示変更統括部１０６１に対して初期表示領域が送られる。また、表示変更統括部１０６１は、表示領域変更部１０６３に対して表示拡大要求を送る。また、表示領域変更部１０６３からは、表示変更統括部１０６１に対して表示領域が送られる。
【００３５】
（表示変更統括部）表示変更統括部１０６１は、貼付開始部１０６２および表示領域変更部１０６３に対する入出力を管理する。表示随時変更部１０６に対する入力は表示変更統括部１０６１が受け付け、必要に応じ、表示変更統括部１０６１を介して、貼付開始部１０６２・表示領域変更部１０６３・に転送される。また、表示随時変更部１０６から外部（表示装置無線通信部１０４・接触位置検出部１０３・表示制御部１０５）への出力は、必ず表示変更統括部１０６１が出力元となる。
更に、各種情報の転送以外に表示変更統括部１０６１が搭載する機能を述べる。
表示変更統括部１０６１は、表示領域変更部１０６３に対して表示サイズの拡大を指示し、変更された表示領域を受け取る。また、表示レイアウト変更開始、及び表示レイアウト確定の判断を行う。判断の概要について述べる。表示レイアウト変更動作は、表示変更統括部１０６１が表示制御部１０５に対して貼付画像の表示領域の初期値を渡したことをきっかけとして開始する。表示レイアウト変更中は、接触位置検出部１０３から所定の時間間隔（例えば、１秒間隔）で接触情報（接触有無情報および接触位置情報）を取得する。取得した接触情報を調べて、接触位置を検出できないと判断した場合は、表示レイアウトを確定する。
つまり、表示変更統括部１０６と表示制御部１０５との協調動作によって、接触状態情報に応じて時間経過とともに貼付画像のレイアウト（表示サイズ）を変化（拡大）させるとともに、この接触状態情報が変化したときにこのレイアウトの変化を停止させる。言い換えれば、接触状態情報に含まれる接触有無情報が有を表わしている間は貼付画像の表示サイズを変化させ、接触有無情報が無を表わしたときに貼付画像の表示サイズの変化を止める。
なお、貼付画像のレイアウトの要素は、表示装置１００の画像表示部１０１上における貼付画像の表示位置、表示位置の変化、表示サイズ（解像度、画素数、表示面積、拡大／縮小比率など）、表示サイズの変化（拡大、縮小）、表示の向き・傾き、表示の向き・傾きの変化などである。
また貼付画像は、コンピュータシステムやデジタル回路などにおいてはデジタルデータとして扱われ処理される。貼付画像は、例えばデジタル静止画像、デジタルアニメーション画像、動画像などである。また、貼付画像は、ＪＰＥＧ（Ｊｏｉｎｔ  Ｐｈｏｔｏｇｒａｐｈｉｃ  Ｅｘｐｅｒｔｓ  Ｇｒｏｕｐ）、ＧＩＦ（Ｇｒａｐｈｉｃ  Ｉｎｔｅｒｃｈａｎｇｅ  Ｆｏｒｍａｔ）、ＰＮＧ（Ｐｏｒｔａｂｌｅ  Ｎｅｔｗｏｒｋ  Ｇｒａｐｈｉｃｓ）、ＭＰＥＧ（Ｍｏｖｉｎｇ  Ｐｉｃｔｕｒｅ  Ｅｘｐｅｒｔ  Ｇｒｏｕｐ）などの標準データ形式あるいは事実上の標準データ形式で表現される。
【００３６】
（貼付開始部）貼付開始部１０６２は、携帯端末装置２００から受信した画像貼付要求信号と、接触位置検出部１０３から受信した接触状態情報を元に、画像貼付動作の開始を判断する機能を有する。
【００３７】
（表示領域変更部）表示領域変更部１０６３は、画像表示部１０１上に画像をレイアウト表示する際の表示領域を算出する機能を有する。算出した表示領域情報は表示変更統括部１０６１に渡す。
表示領域情報の初期値を算出する際は、表示変更統括部１０６１から接触状態情報と解像度情報を受け取り、これら情報を基にして算出する。
初期値算出の後、表示変更統括部１０６１から表示拡大要求を受け取った場合は、前回算出した表示領域情報を基にして新たな表示領域の値を算出し、表示変更統括部１０６１に渡す。
【００３８】
つまり、表示位置検出部１０３が外部物体の接触を検出している間は表示サイズを拡大し続け、表示位置検出部１０３が外部物体の接触を検出できなくなったときに表示サイズの拡大を止めて、表示レイアウトが確定される。
【００３９】
次に、携帯端末装置２００の内部構成について説明する。図４は、携帯端末装置２００の内部機能構成を示すブロック構成図である。以下、図４に沿って説明する。
携帯端末装置２００は、内部に、携帯端末表示部２０１と携帯端末蓄積部２０２と接触検知部２０３と携帯端末無線通信部２０４と撮像部２０５と表示画像選択部２０６と画像貼付制御部２０７（貼付画像送信制御手段）と入力部２０８とを有する。
【００４０】
携帯端末表示部２０１は、表示画面情報を表示する機能を有する。表示画面情報（画像データ）は表示画像選択部２０６から渡される。つまり、表示画像選択部２０６から渡される画像ＩＤに基づいて携帯端末蓄積部２０２から対応する画像データを受け取り、この画像データを用いた表示を行なう。携帯端末表示部２０１を構成するデバイスは、例えばＬＣＤ、有機ＥＬなどのフラットパネルディスプレイである。
【００４１】
携帯端末蓄積部２０２は、画像データを蓄積する機能を有する。先ず、画像データは撮像部２０５から渡され、画像データを一意に識別するための画像ＩＤと紐付け（関連付け）されて蓄積される。また携帯端末蓄積部２０２は、携帯端末表示部２０１や画像貼付制御部２０７から画像ＩＤを受け取り、対応する画像データを渡す。更に携帯端末蓄積部２０２は、表示画像選択部２０６からの画像ＩＤ要求に応じ、蓄積している画像データに対応する画像ＩＤのリストを渡す。携帯端末蓄積部２０２を構成するデバイスは、例えばフラッシュメモリ、ＲＡＭ、ＨＤＤなどである。
【００４２】
接触検知部２０３は、携帯端末装置２００が表示装置１００などの被接触体に接触した事を検知する。接触検知部２０３は画像貼付制御部２０７に対して接触検知（接触状態情報）を通知する。接触検知部２０３を構成するデバイスは、例えば、圧電素子を用いた接触センサである。
【００４３】
携帯端末無線通信部２０４は、表示装置１００との間でデータ通信する機能を有する。携帯端末無線通信部２０４の無線通信方式は、例えばＢｌｕｅｔｏｏｔｈ（登録商標）、無線ＬＡＮなどである。
【００４４】
撮像部２０５は、写真を撮影し、デジタル画像データとして携帯端末蓄積部２０２に記録する機能を有する。撮像部２０５を構成するデバイスは、例えば、レンズなどの集光手段、ＣＣＤ（Ｃｈａｒｇｅ  Ｃｏｕｐｌｅｄ  Ｄｅｖｉｃｅｓ、電荷結合素子）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ、相補型金属酸化物半導体）などのイメージセンサー、及びイメージ信号処理ＬＳＩ（Ｌａｒｇｅ  Ｓｃａｌｅ  Ｉｎｔｅｇｒａｔｉｏｎ、半導体集積回路）である。
【００４５】
入力部２０８は、ユーザ入力を受け付けて表示画像選択部２０６に通知する機能を有する。入力部２０８を構成するデバイスは、例えば、各種操作ボタンやタッチパネルである。
【００４６】
画像貼付制御部２０７は、接触検知部２０３から接触通知を受ける。また、画像貼付制御部２０７は、表示画像選択部２０６からユーザによって選択された画像の画像ＩＤを受ける。また、画像貼付制御部２０７は、携帯端末蓄積部２０２に画像ＩＤを渡し、このＩＤに対応する画像データを携帯端末蓄積部２０２から読み出す。また、画像貼付制御部２０７は、携帯端末無線通信部２０４を介して表示装置１００と通信し、これにより画像貼付要求を渡し、画像貼付応答を受け、画像データを渡す。
そしてこれらにより、画像貼付制御部２０７は、携帯端末蓄積部２０２と接触検知部２０３と携帯端末無線通信部２０４と入力部２０８とを制御して、接触相手の表示装置１００に画像を転送する機能を有する。
つまり、画像貼付制御部２０７は、接触状態情報に応じて、貼付画像を表示装置に対して送信するように制御する。
【００４７】
表示画像選択部２０６は、ユーザ入力に基づいて、携帯端末蓄積部２０２に蓄積された複数の画像から所望の画像を選択して表示する機能を有する。更に、画像貼付制御部２０７に対して、選択された画像を通知する機能を有する。
【００４８】
次に、本実施形態による画像貼付システムの利用方法の概略について説明する。図５は、画像貼付システムの使い方を示した概略図である。
【００４９】
図５の（０）において、ユーザは、携帯端末装置２００の入力部２０８を操作し、表示装置１００に貼り付けたい画像を選択する。
【００５０】
次に（１）において、上記（０）で選択された所望の画像が携帯端末表示部２０１に表示された状態で、ユーザは携帯端末装置２００を、画像の貼付先である画像表示部１０１に接触させる。
【００５１】
そして（２）において、画像表示部１０１は、上記（１）で携帯端末装置２００が接触した位置に（０）で選択された画像を表示し、表示レイアウト変更を開始する。
【００５２】
この表示レイアウト変更の開始時、つまり（ａ）に示す初期状態では、画像表示部１０１は表示サイズ最小で画像を表示する。
【００５３】
そして、ユーザが（１）で画像表示部１０１に接触させた携帯端末装置２００を接触させたままにしておくと、（ｂ）に示すように、接触時間に応じて画像表示部１０１が表示する画像の表示サイズが徐々に拡大する。
【００５４】
そして、（３）において、ユーザは携帯端末装置２００を表示装置１００の画面から離す（接触状態を解除する）。すると、表示レイアウトが確定し、携帯端末装置２００を離した時点の表示サイズで画像表示部１０１上に画像が表示されたままになる。
【００５５】
次に、携帯端末装置２００と表示装置１００との間で行なわれるデータ通信のシーケンスについて説明する。図６は、図５に示した操作に対応した携帯端末装置２００と表示装置１００の間の通信シーケンスを示す概略図である。以下、図６に沿って説明する。
【００５６】
ユーザは携帯端末装置２００を操作し、貼付の対象となる画像を予め選択・表示した状態で画像表示部１０１に携帯端末装置２００を接触させる。
【００５７】
携帯端末装置２００は、接触検知部２０３が接触を検知すると、通信相手の表示装置１００を探索するため、画像貼付制御部２０７が携帯端末無線通信部２０４を介して画像貼付要求信号をブロードキャスト（送信）する（Ｓ５０１）。
【００５８】
この画像貼付要求信号（Ｓ５０１）のフォーマットはＦ５２１で示す通りであり、同信号が含む情報は、ブロードキャストアドレス、発信元アドレス、コマンド種別、貼付ＩＤである。ブロードキャストアドレスは、本信号宛先として受信する全ての機器を指定するものである。発信元アドレスは発信元の携帯端末装置を識別するＩＤ（アドレス）であって、本信号を受信した機器が携帯端末装置２００に対して応答を送信する際の宛先として使用される。コマンド種別の値は、画像貼付要求信号であることを識別する値を設定する。貼付ＩＤは、画像貼付け要求信号を一意に識別するために割り振られ、使用される。
【００５９】
表示装置１００は、この画像貼付要求信号（Ｓ５０１）を受信すると、接触位置検出部１０３を用いて画像表示部１０１に対する接触体の接触有無、及び接触位置を調べる。接触位置を検出できた場合には、受信した画像貼付要求信号（Ｓ５０１）に含まれていた発信元アドレスを送信先アドレスとして設定して、発信元の携帯端末装置２００に宛てて画像貼付応答信号を送信する（Ｓ５０２）。
【００６０】
画像貼付応答信号（Ｓ５０２）のフォーマットはＦ５２２で示す通りであり、同信号が含む情報は、送信先アドレス、発信元アドレス、コマンド種別、貼付ＩＤである。発信元アドレスの値は、発信元の表示装置を識別するＩＤを設定する。コマンド種別は、信号を受信した携帯端末が画像貼付応答信号（貼付許可）であることを識別できる値を設定する。貼付ＩＤは、表示装置１００が受信した画像貼付要求信号に含まれていた貼付ＩＤ情報と同一の情報を設定する。
【００６１】
携帯端末装置２００は、この画像貼付応答信号（Ｓ５０２）を受信すると、その信号を調べ、自身が画像貼付要求信号（Ｓ５０１）に含めて送信した貼付ＩＤと画像貼付応答信号（Ｓ５０２）内に含まれる貼付ＩＤとが同じであれば、表示装置１００へ貼付画像転送信号送信する（Ｓ５０３）。この貼付画像転送信号（Ｓ５０３）のフォーマットはＦ５２３で示す通りであり、同信号が含む情報は、送信先アドレス、発信元アドレス、コマンド種別、貼付ＩＤ、画像データである。ここではコマンド種別は、貼付画像転送信号であることを識別できる値を設定する。貼付ＩＤは、携帯端末装置２００がＳ５０１で送信した画像貼付要求信号に含まれていた貼付ＩＤ情報と同一の情報を設定する。
【００６２】
表示装置１００は、この貼付画像転送信号（Ｓ５０３）を受信すると、同信号に含まれる画像データを用いて画像を画像表示部１０１に表示し、レイアウト表示変更中状態となる。そして、携帯端末装置２００と画像表示部１０１とが接触継続している間は貼付画像の表示を拡大し続け、この接触終了が検出されると表示拡大を止めて画像表示レイアウトを確定する。
【００６３】
図７は、表示装置内部で扱うデータのフォーマットを示す概略図である。
図７において、接触状態情報のデータフォーマットはＦ４３０に示す通りである。この接触状態情報は、接触有無フラグ、座標Ｘ値、座標Ｙ値の各項目を含む。接触有無フラグは、外部の接触体が画像表示部１０１に接触しておりその位置が検出できた場合は値がＯＮ（接触有り）となり、その他の場合は値がＯＦＦ（接触無し）となる。接触有無フラグの値がＯＮの場合（Ｆ４３１、接触検知している場合）には、検出された接触体現在位置の座標値が座標Ｘ値および座標Ｙ値に格納される。接触有無フラグの値がＯＦＦの場合（Ｆ４３２、接触検知していない場合）には、接触体現在位置の座標Ｘ値および座標Ｙ値は不定である。
【００６４】
次に、携帯端末装置２００側内部および表示装置１００側内部での処理手順を説明する。
図８は、携帯端末装置２００側での処理手順を示すフローチャートであり、この処理内容は図６に示した通信シーケンスに対応している。以下、図８に沿って説明する。
携帯端末蓄積部２０２に蓄積されている画像データは、予め撮像部２０５によって撮影され、画像データを一意に識別する画像ＩＤ情報と紐付けされて蓄積されている。
【００６５】
表示画像選択部２０６は、ユーザ入力に応じて携帯端末蓄積部２０２から画像ＩＤを取得し、携帯端末表示部２０１に対して画像ＩＤを渡して画像を表示する。携帯端末表示部２０１は、受け取った画像ＩＤを携帯端末蓄積部２０２に渡して画像データを受け取り、画像表示部１０１に表示させる。表示画像選択部２０６は、画像貼付制御部２０７に対して、表示中の画像データと紐付けされた画像ＩＤを渡す（ステップＳ６０１）。
【００６６】
接触検知部２０３は、携帯端末装置２００が何かに接触したことを検知すると、画像貼付制御部２０７に通知する（ステップＳ６０３）。
【００６７】
画像貼付制御部２０７は、携帯端末無線通信部２０４を介して画像貼付要求信号をブロードキャストする（ステップＳ６０４）。画像貼付要求信号には、先に表示画像選択部２０６から受け取った画像ＩＤ情報を含む。
【００６８】
画像貼付制御部２０７は、所定時間の間、携帯端末無線通信部２０４を介して、画像貼付要求信号に対する応答としての画像貼付応答信号を受信待ちする。画像貼付応答信号を受信しなかった場合、画像貼付制御部２０７は、画像貼付動作を終了する。画像貼付応答信号を受信した場合にはステップＳ６０７の処理へ進む（ステップＳ６０５）。
【００６９】
画像貼付制御部２０７は、応答信号を受信すると要求信号に含まれる貼付ＩＤを調べる。貼付ＩＤが、先に送信した画像貼付要求信号と同じ場合は、先に表示画像選択部２０６から受け取った画像ＩＤ情報を携帯端末蓄積部２０２に渡して携帯端末蓄積部２０２から画像データを取り出し、この画像データを含む貼付画像転送信号を、画像データ要求信号を送信してきた表示装置１００に送信する（ステップＳ６０７）。
【００７０】
図９は、表示装置１００側での処理手順を示すフローチャートであり、この処理内容は図６に示した通信シーケンスに対応している。以下、図９に沿って説明する。
【００７１】
Ｓ５０１（図６）で携帯端末装置２００から送信された画像貼付要求信号は、表示装置無線通信部１０４によって受信され、表示随時変更部１０６に転送される。表示随時変更部１０６内では、表示変更統括部１０６１から貼付開始部１０６２に転送される（ステップＳ７０１）。
【００７２】
貼付開始部１０６２は、携帯端末装置側からの画像貼付要求に対し、画像貼付の可否を判断する機能を有する。
貼付開始部１０６２は、画像表示部１０１の接触状態を調べるために接触状態問合せを行う。接触状態問合せ信号は貼付開始部１０６２から表示変更統括部１０６１を介して接触位置検出部１０３に渡される。
接触位置検出部１０３は、画像表示部１０１に対して現在接触体が接触しており、更に接触位置が特定できるかどうかを調べる。その結果、接触位置検出部１０３は接触状態情報（図７のＦ４３０）を表示随時変更部１０６に渡す。接触状態情報は、表示随時変更部１０６を介して貼付開始部１０６２に渡される（ステップＳ７０２）。
【００７３】
貼付開始部１０６２は、接触状態情報を受け取ると同情報に含まれる接触有無フラグを調べる（ステップＳ７０３）。もしフラグの値がＯＦＦの場合は、図９に関わる一連の処理はここで終了する。
【００７４】
貼付開始部１０６２が受け取った接触状態情報の接触有無フラグがＯＮの場合、貼付開始部１０６２は表示変更統括部１０６１に画像貼付応答信号を渡す。この画像貼付応答信号は表示装置無線通信部１０４を介して無線送信され、画像貼付要求信号の送信元である携帯端末装置２００に受信される（ステップＳ７０４）。
【００７５】
携帯端末無線通信部２０４は画像データを含む貼付画像転送信号を受信すると、表示制御部１０５に転送する（ステップＳ７０６）。
【００７６】
表示制御部１０５は貼付画像転送信号を受け取ると、同信号に含まれている画像データを表示装置蓄積部１０２に記録する。表示装置蓄積部１０２は画像データを蓄積する（ステップＳ７０７）。
【００７７】
表示制御部１０５は、受信した画像データのフォーマットを解析して、画像の解像度情報を表示変更統括部１０６１に渡す。
表示変更統括部１０６１は、接触位置検出部１０３に接触状態問合せを行い、接触状態情報を取得する。
表示領域変更部１０６３は、表示変更統括部１０６１から接触状態情報と解像度情報を受け取る。表示領域変更部１０６３は、表示領域の初期値（初期表示領域）を算出して表示変更統括部１０６１に渡す（ステップＳ７０８）。表示領域の算出方法について述べる。表示領域情報は、位置情報とサイズ情報からなる。表示領域の位置情報は、接触状態情報に含まれる位置情報を採用する。表示領域のサイズ情報は、矩形領域のＸ方向（横方向）とＹ方向（縦方向）の値の組である。表示領域変更部１０６３は、受け取った解像度情報から縦横比を算出し、所定の初期表示面積の値に最も近くなるようなＸ，Ｙの整数値を算出し、サイズ情報とする。
【００７８】
表示領域変更部１０６１は、表示領域変更部１０６３から受け取った表示領域情報の初期値を表示制御部１０５に渡す。
表示制御部１０５は、画像表示部１０１に表示される内容であるところの表示画面情報を作成し、画像表示部１０１に渡して表示させる（ステップＳ７０９）。
【００７９】
表示変更統括部１０６１は、表示領域変更部１０６３から表示領域情報の初期値を受け取ると、以降は所定時間毎に繰り返し接触位置検出部１０３から接触状態情報を取得する（ステップＳ７１０）。
表示変更統括部１０６１は接触状態情報を取得すると。接触有無フラグを調べる。
フラグの値がＯＦＦの場合は、図９記載の一連の表示レイアウト変更処理を終了する（ステップＳ７１１）、つまり、表示サイズの変更を行なわず表示レイアウトを確定させる。
【００８０】
ステップＳ７１１における接触有無フラグの値がＯＮの場合、表示変更統括部１０６１は表示領域変更部１０６３に対して、表示領域拡大要求を通知し、表示領域変更部１０６３から、前回よりも表示サイズが所定の割合で拡大された表示領域情報を受け取る（ステップＳ７１２）。
【００８１】
表示変更統括部１０６１は、受け取った表示領域情報を表示制御部１０５に渡す。表示制御部１０５は、新たな表示領域情報に基づいて表示画面情報を作成し、画像表示部１０１に表示させる（ステップＳ７１３）。この後は、ステップＳ７１０に戻り次の所定時間経過後の接触状態情報に基づく処理を行なう。
【００８２】
［第２の実施形態］
次に、本発明の第２の実施形態を説明する。
本実施形態における表示装置１００および携帯端末装置２００の構成は、前述の第１の実施形態とほぼ同様である。但し、本実施形態においては、携帯端末装置２００は接触検知部２０３を有さない。
【００８３】
本実施形態では、ユーザが貼付画像を選択した状態で携帯端末装置２００を表示装置１００の画像表示部１０１に接触させたとき、まず表示装置１００側の接触位置検出部１０３がその接触を検出する。これに応じて、表示装置１００から画像貼付ポーリング信号がブロードキャスト送信される。貼付画像の準備ができている携帯端末装置２００側は、この画像貼付ポーリング信号を受信すると、送信元の表示装置１００を宛先として、貼付画像の画像データを含んだ貼付画像転送信号（図６のＳ５０３に相当）を送信する。
この貼付画像転送信号を受信した後の表示装置１００側での処理は、第１実施形態の場合と同様である。
本実施形態においては、表示装置側でのみ接触の有無が検知される。このとき、上記の画像貼付ポーリング信号を受信する携帯端末無線通信部２０４が、携帯端末装置側において、外部の表示装置への接触状態を表わす接触状態情報を取得する接触状態情報取得手段にあたる。
【００８４】
［第３の実施形態］
次に、本発明の第３の実施形態を説明する。
本実施形態における表示装置１００および携帯端末装置２００の構成は、前述の第１の実施形態とほぼ同様である。但し、本実施形態においては、表示装置１００は接触位置検出部１０３を有さない。そして、携帯端末装置２００が有する接触検知部２０３は、単に接触の有無を検知するだけでなく、表示装置の画像表示部１０１上における自己の接触位置（座標Ｘ値および座標Ｙ値）を検知することができる。一例としては、表示装置側の所定の位置に設けられた単数または複数の基準信号発信部から発せられる信号（光、赤外線、電波などを用いた信号）を接触検知部２０３が受信し、その信号強度あるいは信号波形などに基づき、自己の画像表示部１０１上の接触位置情報を算出する。
【００８５】
本実施形態では、表示装置１００側の表示随時変更部１０６は、必要時には表示装置無線通信部１０４を介して携帯端末装置側に接触状態問合せ信号を送信することによって、接触状態を問い合わせる。携帯端末装置２００側では、この接触状態問い合わせ信号を受信すると、接触検知部２０３が接触の有無および接触位置を検出し、この接触状態情報（接触有無フラグ、座標Ｘ値、座標Ｙ値）を含んだ接触状態応答信号を表示装置１００側に返す。そして、表示随時変更部１０６は、この接触状態応答信号に含まれる接触状態情報を受け取る。この接触状態問い合わせ以外の処理手順は、第１の実施形態の場合と同様である。
本実施形態においては、携帯端末装置側でのみ接触の有無および接触位置が検知される。このとき、上記の接触状態情報を含んだ接触状態応答信号を受信する表示装置無線通信部１０４が、表示装置側において、画像表示部への接触体の接触状態を表わす接触状態情報を取得する接触状態情報取得手段にあたる。
【００８６】
なお、上述した第１、第２、第３の実施形態における表示装置側の処理機能全体あるいはその一部、携帯端末装置側の処理機能全体あるいはその一部は、これらの機能実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００８７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８８】
以上、この発明の実施形態について図面を参照して詳述してきたが、具体的な構成はこの実施形態に限られるものではなく、この発明の要旨を逸脱しない範囲の設計等も含まれる。
例えば、上記の各実施形態では、貼付画像のレイアウトの変化の具体例として、表示サイズを拡大させる場合を記載したが、他にも、表示サイズを縮小させたり、表示位置を変化させたりすることも可能である。
【００８９】
（応用シーン）
以上の通り説明した実施形態により、ユーザは、本画像貼付システムを利用する際に、デジカメ・携帯電話等の携帯端末に格納されている画像を、ユーザ操作によってＴＶやＰＣなどの大画面表示装置に対して自由なレイアウトで表示させる際に、必要となる一連のユーザ操作を、１アクションで簡便・直感的に行うことができる。
最後に、本システムが想定するユーザーシーンを次に述べる。本システムは家庭に設置されてユーザが撮りためた写真を大画面ＴＶ上に好みのレイアウトで表示し、友人や家族などと鑑賞することができる。また、本システムを駅やデパートなどの公共の場に設置し、掲示板としてユーザ同士のコミュニケーションに活用することもできる。ここで、本システムの取り扱うデータを、画像情報だけでなく文字情報に拡張したり、また「いつ」、「だれが」貼り付けたかを記録できるように拡張したりすることで、ユーザ同士のコミュニケーションに活用することができる。
【図面の簡単な説明】
【００９０】
【図１】本発明の実施形態による画像貼付システム全体の外観を示す概略図である。
【図２】本発明の実施形態による表示装置（１００）の内部機能構成を示すブロック図である。
【図３】本発明の実施形態による表示随時変更部（１０６）の内部構成を示すブロック図である。
【図４】本発明の実施形態による携帯端末装置（２００）の内部機能構成を示すブロック図である。
【図５】本発明の実施形態による画像貼付システムの使い方を示した概略図である。
【図６】本発明の実施形態による画像貼付システムにおいて、携帯端末装置（２００）と表示装置（１００）の間の通信シーケンスを示す概略図である。
【図７】本発明の実施形態による表示装置内部で扱うデータのフォーマットを示す概略図である。
【図８】本発明の実施形態による携帯端末装置（２００）側での処理手順を示すフローチャートである。
【図９】本発明の実施形態による表示装置（１００）側での処理手順を示すフローチャートである。
【符号の説明】
【００９１】
１００・・・表示装置、１０１・・・画像表示部、１０２・・・表示装置蓄積部、１０３・・・接触位置検出部（接触状態情報取得手段）、１０４・・・表示装置無線通信部（画像受信手段）、１０５・・・表示制御部（表示制御手段）、１０６・・・表示随時変更部（表示制御手段）、２００・・・携帯端末装置、２０１・・・携帯端末表示部、２０２・・・携帯端末蓄積部、２０３・・・接触検知部（接触状態情報取得手段）、２０４・・・携帯端末無線通信部、２０５・・・撮像部、２０６・・・表示画像選択部、２０７・・・画像貼付制御部（貼付画像送信制御手段）、２０８・・・入力部、１０６１・・・表示変更統括部、１０６２・・・貼付開始部、１０６３・・・表示領域変更部
【図１】
0004805022.tif 000002
【図２】
0004805022.tif 000003
【図３】
0004805022.tif 000004
【図４】
0004805022.tif 000005
【図５】
0004805022.tif 000006
【図６】
0004805022.tif 000007
【図７】
0004805022.tif 000008
【図８】
0004805022.tif 000009
【図９】
0004805022.tif 000010